(57)【特許請求の範囲】
【請求項１】
所定の方向に沿って並んで配置され、スパンデックス材質を含み、且つ互いに所定部分重なるとともに所定角度で前記所定の方向から傾斜するように設置される複数個のスクリーン要素部材と、
前記複数個のスクリーン要素部材のそれぞれが互いに重なるとともに所定角度で前記所定の方向から傾斜して並んで配置される状態を保持するフレームとを備え、
前記フレームは、前記複数個のスクリーン要素部材のそれぞれが互いに重なるとともに所定角度で前記所定の方向から傾斜した状態に対応する形状を持つ支持ガイド部を含むことを特徴とする、スクリーンゴルフ用の透過型スクリーン。
【請求項２】
前記複数個のスクリーン要素部材は、難燃処理されたスパンデックス材質からなることを特徴とする、請求項１に記載のスクリーンゴルフ用の透過型スクリーン。
【請求項３】
前記複数個のスクリーン要素部材は、映像を投影するためのプロジェクタの光が、前記複数個のスクリーン要素部材が互いに重なった部分の側面側から入射するように設置されたことを特徴とする、請求項１又は２に記載のスクリーンゴルフ用の透過型スクリーン。
【請求項４】
前記支持ガイド部は、前記スクリーン要素部材の傾斜した面が着座して支持されるようにする傾斜面部と、該傾斜面部と他の傾斜面部との間に形成された段部と、を含むことを特徴とする、請求項１に記載のスクリーンゴルフ用の透過型スクリーン。
【請求項５】
所定の方向に沿って並んで配置され、スパンデックス材質を含み、且つ互いに所定部分重なるとともに所定角度で前記所定の方向から傾斜するように設置される複数個のスクリーン要素部材と、
前記複数個のスクリーン要素部材のそれぞれが互いに重なるとともに所定角度で前記所定の方向から傾斜して並んで配置される状態を保持するフレームとを備え、
前記フレームは、前記複数個のスクリーン要素部材の前面側に設置される第１フレーム部と、前記第１フレーム部と対応し、前記複数個のスクリーン要素部材の背面側に設置されて前記第１フレーム部と結合することによって前記複数個のスクリーン要素部材を支持する第２フレーム部と、を含むことを特徴とする、スクリーンゴルフ用の透過型スクリーン。
【請求項６】
前記第１フレーム部が、前記複数個のスクリーン要素部材のそれぞれが互いに重なるとともに所定角度で前記所定の方向から傾斜した状態に対応する形状を持つ第１支持ガイド部を含み、前記第２フレーム部が、前記複数個のスクリーン要素部材のそれぞれが互いに重なるとともに所定角度で前記所定の方向から傾斜した状態に対応する形状を持つ第２支持ガイド部を含み、前記第１フレーム部と前記第２フレーム部とが結合することによって、前記第１支持ガイド部と前記第２支持ガイド部が、前記複数個のスクリーン要素部材の設置された状態を支持するようにしたことを特徴とする、請求項５に記載のスクリーンゴルフ用の透過型スクリーン。
【請求項７】
前記第１支持ガイド部は、前記スクリーン要素部材の傾斜した前面が着座して支持されるようにする第１傾斜面部と、前記第１傾斜面部の端部に形成され、前記スクリーン要素部材の一側面が着座して支持されるようにする第１段部と、を含み、
前記第２支持ガイド部は、前記スクリーン要素部材の傾斜した背面が着座して支持されるようにする第２傾斜面部と、前記第２傾斜面部の端部に形成され、前記スクリーン要素部材の他の側面が着座して支持されるようにする第２段部と、を含むことを特徴とする、請求項６に記載のスクリーンゴルフ用の透過型スクリーン。
【請求項８】
所定の方向に沿って並んで配置され、スパンデックス材質を含み、且つ互いに所定部分重なるとともに所定角度で前記所定の方向から傾斜するように設置される複数個のスクリーン要素部材と、
前記複数個のスクリーン要素部材のそれぞれが互いに重なるとともに所定角度で前記所定の方向から傾斜して並んで配置される状態を保持するフレームとを備え、
前記フレームは、前記複数個のスクリーン要素部材全体のうち一部を支持するサブフレームが複数個結合してなることを特徴とする、スクリーンゴルフ用の透過型スクリーン。
【請求項９】
前記複数個のサブフレームのそれぞれは、
前記複数個のスクリーン要素部材の前面側に設置される第１サブフレーム部と、
前記第１サブフレーム部と対応し、前記複数個のスクリーン要素部材の背面側に設置されて前記第１サブフレーム部と結合することによって前記複数個のスクリーン要素部材を支持する第２サブフレーム部と、
を含むことを特徴とする、請求項８に記載のスクリーンゴルフ用の透過型スクリーン。
【請求項１０】
前記第１サブフレーム部が、前記複数個のスクリーン要素部材のそれぞれが互いに重なるとともに所定角度で前記所定の方向から傾斜した状態に対応する形状を持つ第１支持ガイド部を含み、前記第２サブフレーム部が、前記複数個のスクリーン要素部材のそれぞれが互いに重なるとともに所定角度で前記所定の方向から傾斜した状態に対応する形状を持つ第２支持ガイド部を含み、前記第１サブフレーム部と前記第２サブフレーム部とが結合することによって、前記第１支持ガイド部と前記第２支持ガイド部とが、前記複数個のスクリーン要素部材の設置された状態を支持することを特徴とする、請求項９に記載のスクリーンゴルフ用の透過型スクリーン。
【請求項１１】
一のサブフレームの第１サブフレーム部の端部と、他のサブフレームの第２サブフレーム部の端部とが、前記スクリーン要素部材の前面と後面において向かい合うようにそれぞれ配置されて結合するように構成されたことを特徴とする、請求項９又は１０に記載のスクリーンゴルフ用の透過型スクリーン。
【発明の詳細な説明】
【技術分野】
【０００１】
本発明は、スクリーンゴルフ用の透過型スクリーンに係り、特に、スクリーン上に投影される仮想のゴルフ映像を通じてゴルフを楽しむことができる仮想ゴルフシミュレーション装置を用いるいわゆるスクリーンゴルフにおいて使用される透過型スクリーンに関する。
【背景技術】
【０００２】
近年、ゴルフへの関心が高まるにつれ、室内でも実際にゴルフ場でゴルフ競技をするかのようなリアリティーを提供するいわゆるスクリーンゴルフという仮想のゴルフシミュレーションシステムが登場することになった。
【０００３】
このような仮想のゴルフシミュレーションシステムでは、ゴルファーが実際にゴルフ場でゴルフ競技をするかのようなリアリティーを提供するべく、実際のゴルフ場と同じ映像を仮想現実として提供し、ゴルフボールの打撃に伴うゴルフボールの移動映像も実際と同様にして提供している。
【０００４】
すなわち、所定大きさの空間を形成するスクリーンゴルフ用ブースの前面部に設けられたスクリーンに、ゴルフシミュレーション装置から提供される映像が映し出され、ゴルファーはゴルフボールをスクリーンに向かって打ち出すと同時に、スクリーン上に映し出されるゴルフ映像を見ながらスクリーンゴルフを楽しむことができる。
【０００５】
しかしながら、従来のスクリーンゴルフシステムでは、ゴルファーが打ったゴルフボールは、スクリーンに当たって落下し、スクリーンゴルフシステムが設置されたブース(Ｂｏｏｔｈ）の床面に散在することになり、ラウンド環境の快適さを阻害する要因とされてきた。
【０００６】
そこで、打たれたゴルフボールがゴルファーに見えなくすることによって、スクリーンゴルフシステムの設置ブースをきれいに維持し、ゴルフラウンド環境を快適にさせ、且つ仮想ゴルフのリアリティーをより向上させる技術の開発が要望されている。
【発明の概要】
【発明が解決しようとする課題】
【０００７】
本発明は、ゴルファーが打ったゴルフボールがスクリーンを透過してゴルファーの視野から消えるようにすることによって、ゴルフラウンド環境をより快適にさせ、打たれたゴルフボールが視野から消えながら、シミュレーション映像にはゴルフボールの飛んで行く映像を表示させることによって、仮想ゴルフのリアリティーをより向上させ、且つゴルフボールの反復的な透過にもかかわらず、透過型スクリーンを構成するスクリーン要素部材の間が広がることを防止することによって、製品の信頼性を向上させることができる、スクリーンゴルフ用の透過型スクリーンを提供する。
【課題を解決するための手段】
【０００８】
本発明の一実施例に係るスクリーンゴルフ用の透過型スクリーンは、複数個が並んで配置され、スパンデックス材質からなり、且つ互いに所定部分重なるとともに所定角度で傾斜するように設置される、スクリーン要素部材を備えていることを特徴とする。
【０００９】
好適には、前記複数個のスクリーン要素部材は、難燃処理されたスパンデックス材質からなることを特徴とする。
【００１０】
好適には、前記複数個のスクリーン要素部材は、映像を投影するためのプロジェクタの光の方向が、前記それぞれのスクリーン要素部材が互いに重なった部分の側面側に向くように設置されたことを特徴とする。
【００１１】
好適には、スクリーンゴルフ用の透過型スクリーンは、前記複数個のスクリーン要素部材のそれぞれが互いに重なるとともに所定角度で傾斜して並んで配置される状態を保持するフレームをさらに備えていることを特徴とする。
【００１２】
好適には、前記フレームは、前記複数個のスクリーン要素部材のそれぞれが互いに重なるとともに所定角度で傾斜した状態に対応する形状を持つ支持ガイド部を含むことを特徴とする。
【００１３】
好適には、前記支持ガイド部は、前記スクリーン要素部材の傾斜した面が着座して支持されるようにする傾斜面部と、該傾斜面部と他の傾斜面部との間に形成された段部と、を含むことを特徴とする。
【００１４】
好適には、前記フレームは、前記複数個のスクリーン要素部材の前面側に設置される第１フレーム部と、前記第１フレーム部と対応し、前記複数個のスクリーン要素部材の背面側に設置されて前記第１フレーム部と結合することによって前記複数個のスクリーン要素部材を支持する第２フレーム部と、を含むことを特徴とする。
【００１５】
好適には、前記第１フレーム部が、前記複数個のスクリーン要素部材のそれぞれが互いに重なるとともに所定角度で傾斜した状態に対応する形状を持つ第１支持ガイド部を含み、前記第２フレーム部が、前記複数個のスクリーン要素部材のそれぞれが互いに重なるとともに所定角度で傾斜した状態に対応する形状を持つ第２支持ガイド部を含み、前記第１フレーム部と第２フレーム部とが結合することによって、前記第１支持ガイド部と第２支持ガイド部が、前記複数個のスクリーン要素部材の設置された状態を支持するようにしたことを特徴とする。
【００１６】
好適には、前記第１支持ガイド部は、前記スクリーン要素部材の傾斜した前面が着座して支持されるようにする第１傾斜面部と、前記第１傾斜面部の端部に形成され、前記スクリーン要素部材の一側面が着座して支持されるようにする第１段部と、を含み、前記第２支持ガイド部は、前記スクリーン要素部材の傾斜した背面が着座して支持されるようにする第２傾斜面部と、前記第２傾斜面部の端部に形成され、前記スクリーン要素部材の他の側面が着座して支持されるようにする第２段部と、を含むことを特徴とする。
【００１７】
好適には、前記フレームは、全体スクリーン要素部材のうち一部を支持するサブフレームが複数個結合してなることを特徴とする。
【００１８】
好適には、前記それぞれのサブフレームは、複数個のスクリーン要素部材の前面側に設置される第１サブフレーム部と、前記第１サブフレーム部と対応し、複数個のスクリーン要素部材の背面側に設置されて前記第１サブフレーム部と結合することによって複数個のスクリーン要素部材を支持する第２サブフレーム部と、を含むことを特徴とする。
【００１９】
好適には、前記第１サブフレーム部が、複数個のスクリーン要素部材のそれぞれが互いに重なるとともに所定角度で傾斜した状態に対応する形状を持つ第１支持ガイド部を含み、前記第２サブフレーム部が、複数個のスクリーン要素部材のそれぞれが互いに重なるとともに所定角度で傾斜した状態に対応する形状を持つ第２支持ガイド部を含み、前記第１サブフレーム部と第２サブフレーム部とが結合することによって、前記第１支持ガイド部と第２支持ガイド部とが、複数個のスクリーン要素部材の設置された状態を支持するようにしたことを特徴とする。
【００２０】
好適には、前記サブフレームの第１サブフレームの端部と、他のサブフレームの第２サブフレームの端部とが、スクリーン要素部材の前面と後面において向かい合うようにそれぞれ配置されて結合するように構成されたことを特徴とする。
【発明の効果】
【００２１】
本発明に係るスクリーンゴルフ用の透過型スクリーンは、ゴルファーが打ったゴルフボールがスクリーンを透過してゴルファーの視野から消えるようにすることによって、ゴルフラウンド環境をより快適にでき、打ったゴルフボールが視野から消えながら、該ゴルフボールの飛んで行く映像がシミュレーション映像に表示されるようにすることによって、仮想ゴルフのリアリティーをより向上させることができ、特に、ゴルフボールの反復的な透過に対しても、透過型スクリーンを構成するスクリーン要素部材同士の間が広がることを防ぐことによって、製品の信頼性を向上させることができる。
【図面の簡単な説明】
【００２２】
【図１】本発明に係る透過型スクリーンを備えたスクリーンゴルフシステムの一例を示す図である。
【図２】本発明の一実施例に係るスクリーンゴルフ用の透過型スクリーンを示す図である。
【図３】本発明の一実施例に係るスクリーンゴルフ用の透過型スクリーンにおいて複数個のスクリーン要素部材が適正に配置されている様子を示す図である。
【図４】複数個のスクリーン要素部材が不適正に配置されている様子を示す図である。
【図５】フレームに形成された支持ガイド部にて複数個のスクリーン要素部材を保持している様子を示す図である。
【図６】図１に示したサブフレームのＩ−Ｉ線断面矢視図である。
【図７】図６に示したサブフレームの分解図である。
【図８】図７に示したサブフレームの斜視図である。
【図９】本発明の他の実施例に係るスクリーンゴルフ用の透過型スクリーンを示す図である。
【発明を実施するための形態】
【００２３】
本発明に係るスクリーンゴルフ用の透過型スクリーンの実施例を、添付の図面を参照してより詳しく説明する。
【００２４】
まず、図１を参照して、本発明に係る透過型スクリーンを備えたスクリーンゴルフシステムの概略を説明する。
【００２５】
図１を参照すると、スクリーンゴルフシステムは、前面部と側面壁により形成される所定大きさの空間を持つスクリーンゴルフブース１に設置されている。
【００２６】
そして、スクリーンゴルフブース１の前面部に透過型スクリーンＳが装着されており、ゴルフシミュレータ２００により作動するプロジェクタ２１０が、ゴルフ場及びその背景、そしてゴルフボールの移動映像などの仮想ゴルフシミュレーション映像を、透過型スクリーンＳに映し出すようになっている。
【００２７】
ゴルファーがブース１の床に設けられた打席１００に入り、ゴルフマット１１０上に置かれたゴルフボールをゴルフクラブで打つと、打たされたゴルフボールは透過型スクリーンＳに向かって飛んで行き、ついには透過型スクリーンＳを透過する。打たれたゴルフボールの動きはセンサー２２０が感知し、これをゴルフシミュレータ２００が所定の映像とし、プロジェクタ２１０を介して透過型スクリーンＳに投影させる。
【００２８】
ここで、透過型スクリーンＳは、基本的に、複数個のスクリーン要素部材が並んで配置されてなり、打たれたゴルフボールがそれぞれのスクリーン要素部材の間を通過するようになっている。
【００２９】
透過型スクリーンＳの背面側には緩衝手段が設けられており、通過したゴルフボールが緩衝手段に緩衝されて床に落下するようになっている。また、床に落下したゴルフボールは、スクリーンゴルフブース１の床に内蔵されたボール移送装置（図示せず）により打席１００に帰還し、再び供給されるとよい。
【００３０】
このような透過型スクリーンＳの具体例を、図２から図７を参照して説明する。
【００３１】
図２に示すように、本発明の一実施例に係るスクリーンゴルフ用の透過型スクリーンＳは、並んで配置された複数個のスクリーン要素部材１０で構成される。
【００３２】
そして、複数個のスクリーン要素部材１０が並んで配置された状態を保持できるように、上端と下端にはそれぞれフレーム２０が設けられている。
【００３３】
フレーム２０は、複数個のスクリーン要素部材１０全体を保持する一体のフレームにしてもよく、図２に示すように、複数個のサブフレーム（２１，２２，２３など）単位に分割したものにしてもよい。
【００３４】
複数個のサブフレーム（２１，２２，２３など）単位に分割し、それぞれのサブフレームが、全体スクリーン要素部材のうち一部を保持するように構成すると（ここで、サブフレームと該サブフレームにより保持される一部のスクリーン要素部材とを「サブ透過スクリーン」と称する）、全体透過型スクリーンは、複数個のサブ透過スクリーンを並んで配置することによって構成可能である。このように構成すると、透過型スクリーンにおいて部分的に問題が発生したり、洗濯が必要となったりする場合に、該当する部分のサブ透過スクリーンのみを分離して入れ替えればよく、作業を簡便にできるという特長がある。
【００３５】
一方、従来では、透過型スクリーンを構成するために複数個のスラットを並んで配置し、スラット同士の間にボール透過が可能な隙間を形成した。しかし、スラットとスラットとの隙間をゴルフボールが繰り返し透過するにつれてその隙間は漸次大きくなり、見栄えが悪くなる上、映像投影時にその増加した隙間によって映像が劣化するという不具合があった。
【００３６】
本発明に係る透過型スクリーンＳは、図３に示すように、スクリーン要素部材１０が並んで配置される上で、互いに所定部分重なり合うとともに所定角度で傾斜するようにして設置されることを特徴とする。
【００３７】
すなわち、図３に示すように、一つのスクリーン要素部材１０−１の一端部と他のスクリーン要素部材１０−２の一端部とが重なり合い、続いて他のスクリーン要素部材１０−２の他端部とさらに他のスクリーン要素部材１０−３の一端部とが重なり合う方式でそれぞれのスクリーン要素部材１０が重なり合って設置され、この時、それぞれのスクリーン要素部材１０は所定角度で傾斜するように設置される。
【００３８】
それぞれのスクリーン要素部材１０の重なった部分は、一つのスクリーン要素部材の半分を越えないようにすることが好ましく、特に、スクリーン要素部材の半分よりも小さい部分が重なり合うように設置されることが好ましい。
【００３９】
図３は、図２に示した透過型スクリーンのＩ−Ｉ線断面矢視図で、スクリーン要素部材が設置された様子を示している（フレーム部分は省略）。
【００４０】
このように、複数個のスクリーン要素部材１０のそれぞれが重なり合うとともに所定角度で傾斜して設置される時、図３に示すように、プロジェクタの光の方向を考慮するのが好ましい。
【００４１】
すなわち、図１に示すように、プロジェクタ２１０が側面側から斜めに映像を映し出すとすれば、図３に示すように、プロジェクタの光は透過型スクリーンに向かって斜めに進行する。
【００４２】
このとき、図４に示すように、複数個のスクリーン要素部材のそれぞれが、プロジェクタから光が入射する方向と向かい合う方向に傾斜して設置されていると、プロジェクタの光により影Ｄができるから、全体的に透過型スクリーンに太い縞が現れ、シミュレーション映像の画質が劣化することにつながる。
【００４３】
従って、図３に示すように、プロジェクタの光の方向が、それぞれのスクリーン要素部材が重なり合った部分の側面に向くようにすることによって、プロジェクタの光により影ができる現象を防止することができる。
【００４４】
そして、図３に示すように、プロジェクタからの光の方向を考慮してスクリーン要素部材同士を重ねることによって、スクリーンにできる縞を微少且つ一定に見えるようにすることができ、使用者に外観上の不便を与えずに済む。
【００４５】
このように複数個のスクリーン要素部材のそれぞれが互いに重なり合うと共に所定角度で傾斜して設置された透過型スクリーンに対してゴルフボールが打たれると、打たれたゴルフボールは、スクリーン要素部材同士の重なり合った状態を解除しながら通過し、この時に広がったスクリーン要素部材は直ちに原状復帰する。ここで、それぞれのスクリーン要素部材はそれ自体をスパンデックス材質としているため、弾力的に復帰でき、さらに、反復的な透過にもかかわらず元の形状をそのまま維持可能となる。
【００４６】
従来は、透過型スクリーンを構成する、複数個の並んで配置されたスラットを、弾性のない布で作り、その縁部にそれぞれ弾性を与えるための様々な手段を設けることで、それぞれのスラットに弾性を与えた。しかし、スラット自体の弾性が不足しているため、長期反復の透過によってスラットとスラットとの間が広がり易くなることを防ぐには限界があった。その上、スラットにおいて布の部分と弾性を与えた部分とが分離される恐れもあった。
【００４７】
本発明に係る透過型スクリーンでは、複数個の各スクリーン要素部材自体をスパンデックス材質とすることによって、上記従来における問題点を解決し、さらに、スパンデックス自体に難燃処理、すなわち、燃え難くする処理をすることによって安全性をより向上させている。
【００４８】
すなわち、スパンデックス原糸に難燃処理をした後、難燃処理したシリコン及び難燃処理したスパンデックス原糸を使ってそれぞれのスクリーン要素部材を作ってもよく、単一の大きいスクリーンを作製した後、スクリーン要素部材を裁断してもよい。
【００４９】
一方、図３に示すように、複数個のスクリーン要素部材１０のそれぞれが互いに重なり合うとともに所定角度で傾斜して設置された状態で、ゴルフボールの反復的な透過によりその重なり合った状態がそのまま維持されないこともある。
【００５０】
例えば、一つのスクリーン要素部材の背面側に重なった他のスクリーン要素部材の一部が、ゴルフボールの長期反復の透過により、一つのスクリーン要素部材の前面側に配置され、スクリーン全体から見て、部分的にずれて見える場合がある。
【００５１】
そのため、複数個のスクリーン要素部材のそれぞれが互いに重なるとともに傾斜して配置された状態を保持し続ける機能を担う構成要素を備えることがより好ましい。その一例として、図５から図８には、複数個のスクリーン要素部材の設置状態を保持するフレームを示している。
【００５２】
図５は、フレームに形成された支持ガイド部を用いて、複数個のスクリーン要素部材の設置状態を保持するようにした例を示している。図６は、図１に示したサブフレーム２１，２２，２３のＩ−Ｉ線断面矢視図である。
【００５３】
図７は、図６に示したサブフレーム２１，２２，２３を分解して示す図であり、図８は、図７に示したサブフレームの斜視図である。
【００５４】
図５から図８に示すように、フレーム２０には、複数個のスクリーン要素部材１０のそれぞれが互いに重なるとともに所定角度で傾斜して形成された状態を保持できるように支持ガイド部３１，３２が形成されるのが好ましい。
【００５５】
支持ガイド部３１，３２は、複数個のスクリーン要素部材１０のそれぞれが互いに重なるとともに所定角度で傾斜して形成された状態に対応する形状をしており、スクリーン要素部材のそれぞれが互いに重なるとともに所定角度で傾斜して形成された状態が保持されるようにガイドする。
【００５６】
すなわち、支持ガイド部３１，３２は、ゴルフボールがスクリーン要素部材の間を透過しながら、スクリーン要素部材が元の状態に速く復帰できるように支持力を提供する。
【００５７】
図５を参照すると、フレーム２０は、複数個のスクリーン要素部材１０の前面側に設けられる第１フレーム部２０−１と、該第１フレーム部２０−１に対応し、且つ複数個のスクリーン要素部材１０の背面側に設けられ、第１フレーム部２０−１と結合することによって複数個のスクリーン要素部材１０を保持する第２フレーム部２０−２と、を含んでいる。
【００５８】
すなわち、第１フレーム部２０−１と第２フレーム部２０−２がそれぞれ全体スクリーン要素部材を支持するように結合することによってフレーム２０を構成している。
【００５９】
そして、第１フレーム部２０−１には、複数個のスクリーン要素部材１０のそれぞれが互いに重なるとともに所定角度で傾斜した状態に対応する形状を持つ第１支持ガイド部３１が形成されており、第２フレーム部２０−２にも、複数個のスクリーン要素部材１０のそれぞれが互いに重なるとともに所定角度で傾斜した状態に対応する形状を持つ第２支持ガイド部３２が形成されており、第１フレーム部２０−１と第２フレーム部２０−２とが結合することによって第１支持ガイド部３１と第２支持ガイド部３２とが複数個のスクリーン要素部材の設置状態を保持できるようになっている。
【００６０】
一方、図６では、フレーム２０が、複数個のサブフレーム２１，２２，２３が互いに結合されてなる例を示している。図７及び図８に示すように、それぞれのサブフレーム２１，２２，２３は、複数個のスクリーン要素部材１０の前面側に設置される第１サブフレーム部２１−１，２２−１，２３−１と、これら第１サブフレーム部２１−１，２２−１，２３−１に対応し、且つ複数個のスクリーン要素部材１０の背面側に設置されて第１サブフレーム部２１−１，２２−１，２３−１と結合することによって複数個のスクリーン要素部材１０を支持する第２サブフレーム部２１−２，２２−２，２３−２と、を含んでいる。
【００６１】
そして、図６及び図７を参照すると、一つのサブフレーム２１の第１サブフレーム部２１−１の端部Ｘと、他のサブフレーム２２の第２サブフレーム部２２−２の端部Ｙとが、スクリーン要素部材１０の前面と背面において向かい合うようにそれぞれ配置されて結合するようになっている。
【００６２】
同様の方式で、他のサブフレーム２２の第１サブフレーム２２−１の端部Ｘと、さらに他のサブフレーム２３の第２サブフレーム２３−２の端部Ｙとが、スクリーン要素部材１０の前面と背面において向かい合うようにそれぞれ配置されて結合するようになっている。
【００６３】
このようにすると、各サブフレーム（２１など）の組立を簡易にでき、且つ各サブフレーム同士が切れ目なく連続的にスクリーン要素部材１０を保持できるため、好ましい。
【００６４】
一方、図７及び図８を参照すると、それぞれの第１サブフレーム部２１−１，２２−１，２３−１には、複数個のスクリーン要素部材のそれぞれが互いに重なるとともに所定角度で傾斜した状態に対応する形状を持つ第１支持ガイド部３１が形成されており、それぞれの第２サブフレーム部２１−２，２２−２，２３−２にも、複数個のスクリーン要素部材のそれぞれが互いに重なるとともに所定角度で傾斜した状態に対応する形状を持つ第２支持ガイド部３２が形成されており、第１サブフレーム部２１−１，２２−１，２３−１と第２サブフレーム部２１−２，２２−２，２３−２とが結合することによって、第１支持ガイド部３１と第２支持ガイド部３２とが複数個のスクリーン要素部材の設置状態を保持できるようになっている。
【００６５】
そして、図８の（ａ）を参照すると、第１支持ガイド部３１は、複数個のスクリーン要素部材１０の傾斜した前面が着座して支持されるようにする第１傾斜面部３１ａと、該第１傾斜面部３１ａの端部に形成され、当該スクリーン要素部材の一側面が着座して支持されるようにする第１段部３１ｂと、を有している。
【００６６】
同様に、図８の（ｂ）を参照すると、第２支持ガイド部３２は、複数個のスクリーン要素部材１０の傾斜した背面が着座して支持されるようにする第２傾斜面部３２ａと、該第２傾斜面部３２ａの端部に形成され、当該スクリーン要素部材の他の側面が着座して支持されるようにする第２段部３２ｂと、を有している。
【００６７】
したがって、第１支持ガイド部３１の、第１傾斜面部３１ａ及び第１段部３１ｂからなる構造と、第２支持ガイド部３２の、第２傾斜面部３２ａ及び第２段部３２ｂからなる構造とが組み合わされることで、複数個のスクリーン要素部材が互いに重なるとともに所定角度で傾斜した構造をなすこととなる。
【００６８】
一方、図９の例では、複数個のスクリーン要素部材１０がフレーム２０により支持された状態で、その背面に複数個のスクリーン要素部材１０を横切るように支持部材４０が設けられている。ここで、支持部材４０は所定の間隔で複数個が配置されている。
【００６９】
それぞれの支持部材４０は、スパンデックス材質やゴム材質など、弾性の高い材質で形成されるのが好ましい。また、各支持部材４０の両端部はそれぞれ壁面に固定されてもよく、別の構造物にそれぞれの支持部材４０が固定されてもよい。
【００７０】
このようにすると、支持部材４０が複数個のスクリーン要素部材をさらに支持し、ゴルフボールがスクリーン要素部材の間を透過するとき、スクリーン要素部材が元の形状に戻るようにすることができる。
【図１】
0005788594.tif 000002
【図２】
0005788594.tif 000003
【図３】
0005788594.tif 000004
【図４】
0005788594.tif 000005
【図５】
0005788594.tif 000006
【図６】
0005788594.tif 000007
【図７】
0005788594.tif 000008
【図８（ａ）】
0005788594.tif 000009
【図８（ｂ）】
0005788594.tif 000010
【図９】
0005788594.tif 000011